(57)【要約】【課題】質感が良く、重量化することが抑制される装飾を備えた管状体を提供する。【解決手段】本発明の管状体は、素材上に設けられ、地色となる第１の色彩を有する下地層２１と、下地層２１上に間隔を具備して多数隣接するように設けられ、第２の色彩を有する凸部２３と、を有し、隣接する凸部２３の間は、第１の色彩が露出すると共に、各凸部同士の対向する側面２３ｂに微小凹凸が形成されている、ことを特徴とする。【選択図】  図３
2020141634.tif 000002
【特許請求の範囲】
【請求項１】
管状体の素材上に設けられ、地色となる第１の色彩を有する下地層と、
前記下地層上に間隔を具備して多数隣接するように設けられ、第２の色彩を有する凸部と、
を有し、
前記隣接する凸部の間は、前記第１の色彩が露出すると共に、各凸部同士の対向する側面に微小凹凸が形成されている、ことを特徴とする管状体。
【請求項２】
前記隣接する凸部の各対向面は、湾曲面又は傾斜面に形成され、各凸部の表面は、平滑状に形成されていることを特徴とする請求項１に記載の管状体。
【請求項３】
前記隣接する凸部は、前記下地層上で、螺旋状又は間隔をおいてリング状に形成されていることを特徴とする請求項１又は２に記載の管状体。
【請求項４】
前記第２の色彩を有する凸部上に、隣接する凸部によって生じる凹凸状況が把握可能となるように透明又は半透明のクリアが形成されていることを特徴とする請求項１から３のいずれか１項に記載の管状体。
【請求項５】
前記第２の色彩を有する凸部上に、隣接する凸部によって生じる凹凸を平滑化するように透明又は半透明のクリアが形成されていることを特徴とする請求項１から３のいずれか１項に記載の管状体。
【請求項６】
管状体に付される装飾の形成方法であって、
管状体の素材上に地色となる第１の色彩を有する下地層を形成する工程と、
前記下地層上に糸条体を軸長方向に沿って間隔を有しながら巻回する工程と、
前記巻回された糸条体の表面に第２の色彩を有する模様層を形成する工程と、
前記模様層が形成された後、前記糸条体を剥離する工程と、
を有することを特徴とする装飾の形成方法。
【請求項７】
前記模様層は、巻回される糸条体の径の１／２以下の厚さで形成されることを特徴とする請求項６に記載の装飾の形成方法。
【請求項８】
管状体に付される装飾の形成方法であって、
管状体の素材上に地色となる第１の色彩を有する下地層を形成する工程と、
前記下地層の表面に第２の色彩を有する模様層を形成する工程と、
前記下地層が部分的に露出するように前記模様層を剥離する工程と、
を有することを特徴とする装飾の形成方法。
【請求項９】
前記模様層を剥離する工程は、前記模様層の表面に微小凹凸が形成されるように行われることを特徴とする請求項８に記載装飾の形成方法。
【発明の詳細な説明】
【技術分野】
【０００１】
本発明は、釣竿、玉網、竿受け、ゴルフクラブシャフト等の管状体に関し、詳細には、外観視認される装飾を備えた管状体、及び、そのような装飾の形成方法に関する。
【背景技術】
【０００２】
従来、上記した管状体には、様々な装飾が施されており、例えば、塗装などによって平面的に形成された装飾や、糸などを巻回して立体的に形成されたものがある。例えば、特許文献１には、釣竿の装飾として和竿を強調するように、管状体の素材に形成される竹の地色で形成される地色層と、地色層上に形成され、長手方向に沿った筋状模様を有する模様層と、模様層上に形成され、微細な線状模様を有する透明又は半透明の被覆層と、を備えた竹節模様の装飾が開示されている。また、特許文献２には、釣竿のグリップ部分に、撚りを加えた糸条体を巻回し、その上に合成樹脂層を設けた構成が開示されている。
【先行技術文献】
【特許文献】
【０００３】
【特許文献１】特開２００７−１６６９９９号
【特許文献２】特開２００１−１２８５９２号
【発明の概要】
【発明が解決しようとする課題】
【０００４】
上記した特許文献１に開示されているような天然素材を模した模様を形成する場合、平面的な構成で、色分けによるコントラストが際立ってしまうと、逆に質感が乏しくなってしまい、模様によっては人工的なものと把握され易くなってしまう。また、特許文献２に開示されているように、実際に人工物や天然物の糸条体を巻回すると、立体的になるため質感の面では向上するが、重量が重くなってしまう。
【０００５】
本発明は、上記した問題に着目してなされたものであり、質感が良く、重量化することが抑制される装飾を備えた管状体、及び、そのような装飾の形成方法を提供することを目的とする。
【課題を解決するための手段】
【０００６】
上記した目的を達成するために、本発明に係る管状体は、素材上に設けられ、地色となる第１の色彩を有する下地層と、前記下地層上に間隔を具備して多数隣接するように設けられ、第２の色彩を有する凸部と、を有し、前記隣接する凸部の間は、前記第１の色彩が露出すると共に、各凸部同士の対向する側面に微小凹凸が形成されている、ことを特徴とする。
【０００７】
上記した装飾を備えた管状体は、第１の色彩を有する下地層上に、隣接するように第２の色彩を有する多数の凸部が設けられるため、装飾が立体的となり、また、隣接する凸部間に下地層の第１の色彩が露出するので、そのコントラストによって凸部を際立たせて視認させることができる。この場合、各凸部同士の対向する側面に微小凹凸を形成したことで、第２の色彩がこの部分で乱反射することから、凸部の頂部領域の第２の色彩が際立つようになり、凸部をより立体的に視認させることができて、質感を向上することが可能となる。また、上記した装飾では、糸条体などを巻回する必要もなく、立体的に視認させることが可能になるため、質感を向上しつつ、重量化することが抑制される。
【０００８】
上記した装飾については、管状体の素材上に地色となる第１の色彩を有する下地層を形成する工程と、前記下地層上に糸条体を軸長方向に沿って間隔を有しながら巻回する工程と、前記巻回された糸条体の表面に第２の色彩を有する模様層を形成する工程と、前記模様層が形成された後、前記糸条体を剥離する工程と、を行なうことで形成することが可能である。
【０００９】
上記した形成方法では、糸条体を第１の色彩を有する下地層に巻回し、この上に第２の色彩を有する模様層を形成し、その後、糸条体を剥離することで、巻回される糸条体の間に第２の色彩を有する凸部が形成されると共に、凸部間に、剥離したことによって第１の色彩を有する下地層が露出する。また、糸条体の表面が粗面状態にあれば、糸条体を剥離する際、その状態が第２の色彩にそのまま転写されるため、各凸部同士の対向する側面に微小凹凸が形成されて、上記したような装飾を容易に形成することができる。
【００１０】
また、上記した装飾は、管状体の素材上に地色となる第１の色彩を有する下地層を形成する工程と、前記下地層の表面に第２の色彩を有する模様層を形成する工程と、前記下地層が部分的に露出するように前記模様層を剥離する工程と、を行なうことで形成することが可能である。
【００１１】
上記した構成において、模様層の剥離は、例えば、管状体を回転しながら、或いは、軸方向に移動しながら、切削刃等を当て付けることで行なうことが可能である。この場合、切削刃の表面を粗面化しておくことで、上記したような各凸部同士の対向する側面に微小凹凸を形成することが可能である。
【発明の効果】
【００１２】
本発明によれば、質感が良く、重量化することが抑制される装飾を備えた管状体が得られ、また、そのような装飾を容易に形成することが可能となる。
【図面の簡単な説明】
【００１３】
【図１】本発明の管状体の一実施形態を示し、釣竿（へら竿）を竿受けに設置した状態を示す図。
【図２】図１に示す竿受けの継部分に設けられる装飾を拡大して示す図。
【図３】図２に示す装飾の拡大断面図。
【図４】図３の装飾を模式的に示した平面図。
【発明を実施するための形態】
【００１４】
以下、本発明に係る装飾を備えた管状体の実施形態について説明する。
図１は、釣竿（へら竿）１を竿受け１０に設置した状態を示す図であり、本実施形態では、竿受け１０を管状体の継構造とし、その継部の領域に装飾を施している。具体的に、本実施形態の装飾は、竿受けの継合領域に天然の籐を巻回した状態（籐巻とも称される）を模したものとして形成されている。
【００１５】
前記竿受け１０は、管状に形成された第１竿掛１１と、第１竿掛１１に継合される管状に形成された第２竿掛１２とを備えており、両者は、公知の継構造（インロー継構造）１４によって着脱可能に連結される。前記第１竿掛１１の先端側には、釣竿１の中間部を支持する竿受け１１ａが取り付けられており（第１竿掛１１に着脱可能であっても良い）、第２竿掛１２の基端側は、支持台５０に装着される。この支持台５０には、釣竿１の基端部を支持する竿受け５１と、支持台５０を他物に固定できるように万力５２が設けられている。
【００１６】
前記第１竿掛１１及び第２竿掛１２は、公知のように、強化繊維に合成樹脂を含浸した繊維強化プリプレグを巻回することで形成されており、前記第１竿掛１１の基端部及び第２竿掛１２の先端部に、上記した籐柄の外観を呈する装飾２０が形成されている（図２参照）。
【００１７】
以下、図２から図４を参照して、装飾２０の構成、及び、その形成方法について説明する。
上記したように、本実施形態の装飾２０は、籐巻模様を呈するものとして構成されており、第１の色彩である黒色で構成される下地層２１と、下地層２１上で、軸長方向に間隔をおきながら巻回されたように視認される糸条体の模様（第２の色彩であり、天然の籐と同系色の茶色）を構成する凸部２３と、を備えている。
【００１８】
前記下地層２１は、後述するように、凸部２３（模様層）から、その一部が露出するように形成されるものであれば良く、下地層は、管状体（竿掛１１，１２）の素材表面に直接設けられたものであっても良いし、中間層を介在して管状体の表面に設けられたものであっても良い。或いは、管素材そのものであっても良い。
【００１９】
下地層２１は、第１の色彩（本実施形態では黒とされる）を備えており、例えば、塗装（吹き付け塗装、シゴキ塗装、刷毛塗り塗装等）によって形成することができ、それ以外にも、蒸着やめっき等によって形成しても良い。この下地層２１の肉厚については限定されることはないが、あまり厚くすると重量化するため、０．０１ｍｍ〜０．０５ｍｍ、好ましくは、０．０２ｍｍ〜０．０３ｍｍ程度あれば良い。
【００２０】
なお、装飾を構成する下地層２１は、管状体の長手方向の全面に亘って形成しても良いし、一定の長さ範囲に部分的に形成しても良い。また、３６０°に亘って形成しても良いし、任意の角度範囲に形成しても良い。
【００２１】
前記下地層２１上には、軸方向に間隔を具備して多数隣接するように、凸部２３が設けられている。この凸部２３は、巻回される籐としての模様を形成（模様層を構成する）するものであり、第２の色彩として茶色の色彩が付され、隣接する凸部間に、上記した下地層２１が露出するように形成されている。
【００２２】
前記凸部２３の厚さについては、下地層２１と同様、限定されることはないが、厚くし過ぎると重量化し、薄くし過ぎると立体感に欠けることから、０．０１ｍｍ〜０．０５ｍｍ、好ましくは、０．０２ｍｍ〜０．０３ｍｍ程度あれば良い。
【００２３】
前記凸部２３の表面（露出面）２３ａは、平滑状（平坦状）に形成されていることが好ましく、各凸部の側面（隣接する凸部同士の対向する側面）２３ｂには、微小凹凸が形成されている。この微小凹凸は、入射した光を乱反射させるように形成されたものであれば良く、これにより、凸部２３の表面２３ａ及び側面２３ｂに光が当たると、その反射光は表面２３ａの反射率が高く、側面２３ｂの反射率が低くなることから、凸部２３の表面がはっきりと視認でき、その側面がくすんだような色で視認できることから、凸部がより立体的に視認されるようになる。
【００２４】
前記隣接する凸部の各対向面（側面）は、図２に示すように、凸部の下方に移行するに従って次第に幅広となるような湾曲面又は傾斜面に形成されていることが好ましい。このように湾曲面や傾斜面に形成されていると、乱反射する部分が視認し易くなり、また、ある程度、乱反射部分が幅をもって凸部２３部分が視認できることから、立体感を向上することが可能となる。
なお、このような側面に微小凹凸を有する凸部の形成方法については後述する。
【００２５】
上記した凸部２３は、本実施形態では、下地層２１上に籐巻模様として形成されることから、下地層上に、螺旋状に形成するか、或いは、軸長方向に間隔をおいてリング状に形成することが好ましい。すなわち、このような構成では、凸部２３が、上記したように立体形状になっており、かつ、その下地層２１とのコントラスト、及び、側面２３ｂの微小凹凸と平坦状な表面２３ａとの反射状態の相違により、凸部２３は、実際に巻回した籐のように見せることが可能となる。
【００２６】
この場合、表面２３ａと側面２３ｂとの間のエッジ２３Ａ、及び、側面２３ｂと下地層２１との間のエッジ２３Ｂが、図４に模式的に示すように、それぞれ凹凸を有するように形成することで、凸部２３は機械的ではなく、実際の籐のような不規則性のある凹凸（ギザギザ）に見せることができ、より質感を高めることが可能となる。
【００２７】
そして、上記したように形成された凸部上には、隣接する凸部によって生じる凹凸状況が把握可能となるように透明又は半透明のクリア（保護層）２６が形成される。このクリア２６は、例えば、エポキシ、ウレタン、アクリル、アクリルシリコン、シリコン等の合成樹脂で構成され、実際に握持した際に、隣接する凸部２３による凹凸状況が把握できる程度の厚さに塗布することで、握持した際、凹凸を有する籐を握持した感覚を与えることが可能となり、また、滑り止めとしても機能させることができる。
【００２８】
或いは、凸部２３上に、隣接する凸部によって生じる凹凸を平滑化するように、透明又は半透明のクリア２８を形成しても良い。このようなクリアでは、実際に凹凸を生じさせないことから、凹部に異物が付着することが防止される。
【００２９】
なお、上記したクリア２６，２８については、形成する装飾に応じて、顔料等を混入して着色したものであっても良いし、光輝性を有する箔（光輝性のある粒子）等を混入したものであっても良く、これにより、様々な装飾を形成することが可能となる。
【００３０】
上記した装飾２０によれば、第１の色彩（黒色）を有する下地層２１上に、隣接するように第２の色彩（籐の色である茶色）を有する多数の凸部２３が、下地層２１を露出させながら間隔を有して巻回されたように視認できる。前記凸部２３は、立体的であり、かつ隣接する凸部間に下地層２１の色彩が露出するので、そのコントラストによって凸部２３を際立たせて視認させることができる。また、各凸部同士の対向する側面２３ｂに微小凹凸を形成したことで、籐の色を構成する茶色が乱反射し、凸部２３の頂部領域（表面２３ａ）の茶色が際立つようになり、凸部２３をより立体的に視認させることができて、質感を向上することが可能となる。また、上記した装飾２０では、実際に籐を巻回する必要もなく、凸部２３と下地層２１の構成で凸部を立体的に視認させることが可能になるため、質感を向上しつつ、重量化することが抑制される。
【００３１】
なお、上記した凸部２３については、露出する下地層２１の幅をａ、その表面２３ａの幅をｂとした場合、ｂ≧ａとなるように形成しておくことが好ましい。
このような幅関係とすることで、籐が密巻された状態に見えることから、より自然に近い外観にすることが可能となる。
【００３２】
次に、上記した装飾２０を形成する方法について具体的に説明する。
最初に、管状体の素材上（表面）に、黒色（第１の色彩）で、０．０２ｍｍ〜０．０４ｍｍ程度の下地層２１を形成する。下地層２１は、上述したように、塗装等によって形成することが可能である。
【００３３】
次に、その表面から糸条体を巻回する。この糸条体は、軸長方向に所定の隙間を形成しながら巻回する。図３において、糸条体の一部が符号４０で示されており、上述した凸部２３は、螺旋状に巻回される糸条体４０の間に形成される。この場合、巻回する糸条体４０は、特に限定されることはなく、表面が粗面状態にある繊維系であっても良いし、表面が平滑化された樹脂系であっても良い。また、その太さや密巻程度についても、装飾の形態によって適宜変形される。
【００３４】
次に、巻回された糸条体４０の表面に、塗装等によって、茶色（第２の色彩）を有する模様層を形成する。この模様層は、糸条体４０が隠れる程度に形成しても良いし、糸条体４０の径以下に形成しても良い。そして、この模様層が硬化した後、巻回された状態にある糸条体４０を剥離する。
【００３５】
糸条体４０が剥離されると、図３に示すように、剥離した部分で下地層２１が露出すると共に、残った模様層がそのまま螺旋状に連続する凸部２３を構成する。この場合、前記糸条体４０の表面形状がそのまま模様層に転写されるため、凸部２３の側面２３ｂ及び露出する下地層２１には、微小凹凸が形成されるようになる。したがって、糸条体４０の種類、巻回状態等によって、凸部２３の表面２３ａと側面２３ｂとの間のエッジ２３Ａ、及び、側面２３ｂと下地層２１との間のエッジ２３Ｂに、それぞれ凹凸を有するように形成することが可能となり、自然物を巻回したように、より質感を高めることが可能となる。
【００３６】
その後、凸部２３の表面に、クリア２６，２８を形成することで、上記した装飾２０が形成される。
上記した形成方法によれば、簡単な工程で、軽量化され質感の高い籐巻模様を形成することが可能である。
【００３７】
なお、上記した形成工程において、茶色（第２の色彩）の模様層を形成するに際して、その模様層の厚さを、巻回される糸条体４０の径の１／２以下にすることで、糸条体４０を剥離した後に形成される凸部２３を図３に示すように形成することが可能である。すなわち、凸部２３の側面２３ｂを、下方に移行にするに従って幅広になる湾曲面を綺麗に形成することができ、凸部２３の側面２３ｂを視認し易い構成にすることができると共に、その表面２３ａを平滑化することが可能である。このように形成される凸部２３は、上述したように、乱反射する部分の側面２３ｂと表面２３ａとの間のコントラストが強調されることから、立体感を高めることが可能となる。
【００３８】
また、上記した装飾については、糸条体４０を巻回することなく形成することも可能である。
上記したように、管状体の素材上（表面）に、下地層２１を形成した後、糸条体４０を巻回することなく、そのまま模様層（第２の色彩）を塗布し、その後、下地層２１が部分的に露出するように模様層を剥離することで、凸部２３を形成することが可能である。
【００３９】
前記模様層の剥離は、例えば、管状体を回転しながら、凸部間の凹部に相当する歯面を有する切削刃を当て付けながら模様層を削ると共に、下地層２１が露出するまで削ることで、図３に示したような凸部２３を形成することが可能である。この場合、切削刃の表面に凹凸や粗面化部分を形成しておくことで、切削工程によって、前記凸部２３を形成できると共に、その側面２３ｂに微小凹凸を形成することが可能である。
【００４０】
また、上記した装飾の形成方法では、管状体を回転しながら凸部を形成したが、管状体を軸方向に移動させるなどして、下地層２１が露出する凸部（模様層）を形成することが可能である。例えば、軸長方向に沿って複数の凸部が隣接し、その凸部間で下地層が露出するような筋模様等を形成することも可能である。
【００４１】
以上、本発明の実施形態について説明したが、本発明は、上記した実施形態に限定されることはなく、種々変形することが可能である。
上記した構成において、下地層２１の色彩や模様層（凸部２３）の色彩については、単一色であっても良いし、複合色であっても良く、装飾に応じて色彩については適宜変形することが可能である。また、上記したように、下地層２１が露出するように、模様層を除去して凸部２３を残すことができれば、その製造方法については、上記した方法に限定されることはない。
さらに、上記した装飾については、釣竿、玉網、ゴルフクラブシャフトのような各種の管状体に適用することができ、管状体の形成素材についても適宜変形することが可能である。
【符号の説明】
【００４２】
１  釣竿
１０  竿受け（管状体）
２０  装飾
２１  下地層
２３  凸部
２３ａ  表面
２３ｂ  側面
４０  糸条体
【図１】
2020141634.tif 000003
【図２】
2020141634.tif 000004
【図３】
2020141634.tif 000005
【図４】
2020141634.tif 000006